【手続補正書】
【提出日】平成17年5月2日(2005.5.2)
【手続補正１】
【補正対象書類名】明細書
【補正対象項目名】全文
【補正方法】変更
【補正の内容】
【書類名】    明細書
【発明の名称】    プレストレストコンクリート橋脚
【特許請求の範囲】
【請求項１】  フーチングと該フーチングの上面に設置した橋脚部を有し、一端が前記フーチングに、他端が前記橋脚部に存するＰＣ鋼材を緊張することにより下方部分にのみプレストレスが導入されているプレストレストコンクリート橋脚であって、前記フーチング上の前記橋脚部の下方位置から上方に向かって付加鉄筋が設けられていることを特徴とするプレストレストコンクリート橋脚。
【請求項２】  フーチングと該フーチングの上面に設置した橋脚部を有し、両端が前記橋脚部に、中央部分が前記フーチングに存し、側面視Ｕ字状をなすＰＣ鋼材を緊張することにより下方部分にのみプレストレスが導入されているプレストレストコンクリート橋脚であって、前記フーチング上の前記橋脚部の下方位置から上方に向かって付加鉄筋が設けられていることを特徴とするプレストレストコンクリート橋脚。
【請求項３】  前記プレストレスの導入は、前記フーチングから前記橋脚部の外寸の１〜３倍の高さの範囲にされていることを特徴とする請求項１、もしくは請求項２に記載のプレストレストコンクリート橋脚。
【請求項４】  前記橋脚部が中実体であって、該橋脚部の外側面において前記ＰＣ鋼材の緊張作業がなされることを特徴とする請求項１乃至請求項３に記載のプレストレストコンクリート橋脚。
【請求項５】  前記橋脚部が中空部を有し、該中空部の内側面に前記ＰＣ鋼材の端部が存することを特徴とする請求項１乃至請求項３に記載のプレストレストコンクリート橋脚。
【発明の詳細な説明】
【０００１】
本発明は、コンクリート橋脚、特に橋脚部にプレストレスを導入したプレストレストコンクリート橋脚に関する。
【０００２】
【従来の技術】
従来、プレストレストコンクリート橋脚は、地震が発生した際、大きな水平力、すなわち大きな曲げモーメントに耐える構造であることが要求されるようになったため、プレストレストコンクリート橋脚が提案されている。該プレストレストコンクリート橋脚は、橋脚部の略全長にわたって脚軸方向の圧縮応力（圧縮ひずみ）が導入されたもので、高い復元力特性を有している。
【０００３】
【発明が解決しようとする課題】
ところで、このような従来のプレストレストコンクリート橋脚は、圧縮応力（圧縮ひずみ）を導入するための緊張部材（以下、ＰＣ鋼材と称す）が橋脚部の略全長にわたって配置されているため、高価なＰＣ鋼材の使用に伴いプレストレストコンクリート橋脚の製造コストが上昇するとの問題点があった。また、緊張材の取扱いや緊張作業が必ずしも容易でない場合もあり得る。
本発明は、このような従来の問題点に鑑みてなされたもので、橋脚部の下方部分のみプレストレスが導入されているプレストレストコンクリート橋脚を提供することを目的とするものである。
【０００４】
【課題を解決するための手段】
本発明は上記課題を解決すべく以下に掲げる構成とした。
請求項１記載の発明の要旨は、フーチングと該フーチングの上面に設置した橋脚部を有し、一端が前記フーチングに、他端が前記橋脚部に存するＰＣ鋼材を緊張することにより下方部分にのみプレストレスが導入されているプレストレストコンクリート橋脚であって、前記フーチング上の前記橋脚部の下方位置から上方に向かって付加鉄筋が設けられていることを特徴とするプレストレストコンクリート橋脚に存する。
請求項２記載の発明の要旨は、フーチングと該フーチングの上面に設置した橋脚部を有し、両端が前記橋脚部に、中央部分が前記フーチングに存し、側面視Ｕ字状をなすＰＣ鋼材を緊張することにより下方部分にのみプレストレスが導入されているプレストレストコンクリート橋脚であって、前記フーチング上の前記橋脚部の下方位置から上方に向かって付加鉄筋が設けられていることを特徴とするプレストレストコンクリート橋脚に存する。
請求項３記載の発明の要旨は、前記プレストレスの導入が、前記フーチングから前記橋脚部の外寸の１〜３倍の高さの範囲にされていることを特徴とする請求項１、もしくは請求項２に記載のプレストレストコンクリート橋脚に存する。
請求項４記載の発明の要旨は、前記橋脚部が中実体であって、該橋脚部の外側面において前記ＰＣ鋼材の緊張作業がなされることを特徴とする請求項１乃至請求項３に記載のプレストレストコンクリート橋脚に存する。
請求項５記載の発明の要旨は、前記橋脚部が中空部を有し、該中空部の内側面に前記ＰＣ鋼材の端部が存することを特徴とする請求項１乃至請求項３に記載のプレストレストコンクリート橋脚に存する。
【０００５】
【発明の実施の形態】
以下、本発明の実施の形態に係わるプレストレストコンクリート橋脚を図面に基づいて詳細に説明する。
【０００６】
［実施の形態１］
図１は、本発明の一実施の形態に係るプレストレストコンクリート橋脚を示す縦断面図である。図１において、地盤内に設置された橋脚基礎ブロック１(以下、フーチング１と称す)の上面に橋脚部２が設置され、橋脚部２の内部に、脚軸方向と平行にＰＣ鋼材３１が配置されている。なお、コンクリートを補強するために配置されている鉄筋コンクリート構造(以下、ＲＣ構造と称す)における主鉄筋８およびフープ筋９の記載を省略している。
【０００７】
ＰＣ鋼材３１の下端部は、フーチング１内にあって、下方の定着手段４１によりコンクリートに定着されている。また、ＰＣ鋼材３１の上端側は、フーチングの上面より橋脚部２の外寸の略２倍の高さの位置において、上方の定着手段５１によりコンクリートに定着されている（以下、下方の定着手段４１から上方の定着手段５１の範囲を定着範囲と称す）。
さらに、ＰＣ鋼材３１の上方の定着手段５１より上方にある部分は、略円弧状に曲げられ、橋脚部２の外側面に露出し、ＰＣ鋼材３１は該露出位置６１において緊張されたものである。
【０００８】
したがって、地震が発生した際、橋脚にかかる曲げモーメントの分布のうち、該曲げモーメントの値の大きな範囲に前記定着範囲があるため、ＰＣ鋼材３１が有効に作用し、コンクリートに引っ張り応力が発生することを防止したり、あるいは、引っ張り応力が高くなることを防止する効果、および降伏点の高いＰＣ鋼材の使用によってＰＣ鋼材の応力を弾性範囲に保つことにより大きな復元力効果（以下、プレストレス効果と称す）を奏している。
【０００９】
橋脚部２の上端部近くにおいて水平方向の荷重が作用した場合、図示しない主鉄筋８による抵抗モーメントは橋脚部２のほぼ全長にわたって均一分布し、ＰＣ鋼材３１による抵抗モーメントは橋脚部２の下方部分にのみ略台形状に分布するから、主鉄筋８とＰＣ鋼材３１を有すときには、これらが重ね合わせられて、橋脚部２の下方部分が補強された抵抗モーメント分布になる。
【００１０】
したがって、地震発生時において、ＰＣ鋼材３１によるプレストレス効果により、プレストレストコンクリート橋脚の基部の損傷を防止ないし低減するとともに、ＰＣ鋼材３１を合理的に配置することにより製造コストを低減するとの効果を発揮する。また、ＰＣ鋼材３１を緊張する位置（前記露出位置６１に同じ）が、比較的低い位置にあるため、作業性が向上する。
【００１１】
なお、橋脚部２の外寸とは、橋脚部２が矩形の場合はこれに内接する内接円の直径を、多角形の場合はその内部に配置可能な最大直径の円の直径を、楕円形の場合はこれに内接する内接円の直径を、円形の場合はその直径を指す。
【００１２】
なお、本発明は、上方の定着手段５１の配置位置（以下、上方の定着位置と称す）を橋脚部２の外寸の略２倍の高さの位置に限定するものではなく、橋脚部２の外寸の略１倍から略３倍の高さの範囲にあればよい。上方の定着位置が低過ぎる（定着範囲が狭過ぎる）場合には、前記プレストレス効果が弱まり、一方、高過ぎる（定着範囲が広過ぎる）場合には、高価なＰＣ鋼材の使用量が増大し、プレストレストコンクリート橋脚自体の製造コストが上昇することになる。
【００１３】
なお、ＰＣ鋼材３１は、いわゆるボンドタイプであっても、アンボンドタイプであってもよい。また、下方の定着手段４１および上方の定着手段５１の形式は限定するものではなく、その選定は設計事項である。また、橋脚部２の断面形状は、正方形に限定するものではなく、円形、楕円、多角形等何れでもよい。また、橋脚部２の横断面内における、ＰＣ鋼材３１の配置の形態は、脚軸に対して対称に配置することに限定するものではなく、脚軸に対して非対称または偏心して配置されてもよい。
【００１４】
図１に示すように橋脚部２の内部には脚軸方向と平行に、橋脚部の下方から上方に向かって付加鉄筋７が配置される。
【００１５】
すなわち、付加鉄筋７は、フーチング１の中から立ち上がることなく、フーチング１の上面から橋脚部２の上端部にわたって配置されているため、前記定着範囲におけるコンクリートから、該コンクリート内の力およびＰＣ鋼材の定着力とを受け取り、その力を橋脚部の上端側のコンクリートに伝達するから、前記定着範囲とこれを外れた範囲との境界における力の伝達の不連続性を解消する効果を発揮する。
【００１６】
また、付加鉄筋７は、フーチング１中に埋め込まれていないために、前記定着範囲において降伏ないし座屈を生ずることがなく、脚軸方向の鉄筋としてコンクリートを拘束し、基部コンクリートの一体性を確保することができる。なお、付加鉄筋７を高強度鉄筋により形成しておけば前記効果は促進される。
【００１７】
図２は、図１に示す本発明の実施の形態１に係るプレストレストコンクリート橋脚における抵抗モーメントの分布を説明する抵抗モーメント図である。図２において、橋脚部２の上端部近くにおいて水平方向の荷重が作用した場合、図示しない主鉄筋８による抵抗モーメントは橋脚部２のほぼ全長にわたって均一分布（図中、Ｍ８にて示す）し、ＰＣ鋼材３１による抵抗モーメントは橋脚部２の下方部分にのみ略台形状に分布（図中、Ｍ３にて示す）し、さらに、付加鉄筋７による抵抗モーメントは付加鉄筋７の配置範囲にわたって略台形状に分布（図中、Ｍ７にて示す）するから、主鉄筋８とＰＣ鋼材３１と付加鉄筋７を有すときには、これらが重ね合わせられ、橋脚部２の略全長、特に下方部分が補強された抵抗モーメント分布（図中、Ｍ８３７にて示す）になる。
【００１８】
すなわち、本実施の形態１は、地震発生時において、ＰＣ鋼材３１によるプレストレス効果（前記実施の形態１に同じ）とともに、付加鉄筋７による力伝達効果により、プレストレストコンクリート橋脚の基部の損傷を防止ないし低減するとの効果を発揮するものである。
【００１９】
図３は、図１に記載したプレストレストコンクリート橋脚の定着範囲における横方向の断面を示す横断面図である。図３において、断面正方形の橋脚部２の内部に、コンクリートを補強するための複数の主鉄筋８（図中、黒丸にて示す）が脚軸方向と平行に、そして、該主鉄筋８を結ぶフープ筋９が脚軸方向と略直角の面内に配置されている。そして、該フープ筋９の内側に、ＰＣ鋼材３１（図中、白丸にて示す）および付加鉄筋７（図中、二重丸にて示す）が配置されている。
【００２０】
なお、主鉄筋８、フープ筋９、ＰＣ鋼材３１または付加鉄筋７の数量および配置形態は図５に示すものに限定するものではなく、その数量および配置形態は設計事項である。例えば、付加鉄筋７をフープ筋９から離して配置してもよく、あるいは、橋脚に作用する曲げモーメントに応じて、ＰＣ鋼材３１または付加鉄筋７を脚軸中心に対して非対称または偏心して配置してもよい。
【００２１】
また、ＰＣ鋼材３１は、例えばボンドタイプでも、アンボンドタイプでもよく、その形式は何れでもよい。また、橋脚部２断面形状は、正方形に限定するものではなく、円形、楕円、多角形等何れでもよい。
【００２２】
［実施の形態２］
図４は、本発明の他の実施の形態に係るプレストレストコンクリート橋脚を示す縦断面図である。図４において、地盤内に設置されたフーチング１の上面に橋脚部２が設置され、橋脚部２の内部に、脚軸方向と平行に付加鉄筋７および側面視Ｕ字状をなすＰＣ鋼材３３が配置されている。なお、コンクリートを補強するために配置されているＲＣ構造における主鉄筋８およびフープ筋９の記載を省略している。
【００２３】
ＰＣ鋼材３３の円弧状に曲げられた中央部分４３は、フーチング１内に存し、該中央部分４３が、コンクリートに定着されている。一方、ＰＣ鋼材３３の両端部は、橋脚部２内に存し、フーチング１の上面から橋脚部２の外寸の略２倍の高さの位置において上方の定着手段５３によりコンクリートに定着されている（以下、中央部分４３から上方の定着手段５３の範囲を定着範囲と称す）。
【００２４】
さらに、ＰＣ鋼材３３の上方の定着手段５３より上方にある部分は、略円弧状に曲げられて、橋脚部２の外側面に露出し、該露出位置６３において、ＰＣ鋼材３３は緊張されたものである。一方、付加鉄筋７は、フーチング１の中から立ち上がることなく、フーチング１の上面から橋脚部２の上端部にわたって配置されている。
【００２５】
したがって、本実施の形態２において、ＰＣ鋼材３３よび付加鉄筋７は、前記実施の形態１と同様に作用し、前記実施の形態２と同様の効果を奏する。
なお、本発明は、ＰＣ鋼材３３および付加鉄筋７の両方を配置するものに限定するものではなく、付加鉄筋７の配置を省略し、ＰＣ鋼材３３のみ配置して、これによるプレストレス効果のみによって、地震発生後の橋脚の復元力特性の向上の効果を得てもよい。
【００２６】
また、外寸は前記実施の形態１に準じて定められる。さらに、ＰＣ鋼材３３の形式および配置形態、中央部分４３および上方の定着手段５３の形式および配置位置、橋脚部の断面形状等は、前記実施の形態１に準じ、限定するものではない。
【００２７】
［実施の形態３］
図５は、本発明の他の実施の形態に係るプレストレストコンクリート橋脚を示す縦断面図である。図５は図１（前記実施の形態１）における、橋脚部２が中空部２０を有すものである。すなわち、図５において、地盤内に設置されたフーチング１の上面に、中空部２０を有す橋脚部２が設置され、橋脚部２の内部に、脚軸方向と平行にＰＣ鋼材３４および付加鉄筋７が配置されている。
なお、コンクリートを補強するために配置されているＲＣ構造における主鉄筋８およびフープ筋９の記載を省略している。また、図１と同様の部分については同じ符号を付し、一部説明を省略する。
【００２８】
中空部２０は、橋脚部２のフーチング１の上面から橋脚部２の外寸の１倍の高さから、橋脚部２の上端面から橋脚部２の外寸の１倍だけ下の位置にわたって配置され、中空部２０の下方の範囲は内寸が小さく（側壁２１が厚く）、中間から上方の範囲は内寸が大きく（側壁２２が薄く）なっている。そして、該側壁２１と該側壁２２は、斜面２３により連結されている。
【００２９】
ＰＣ鋼材３４の下端部は、フーチング１内にあって、下方の定着手段４４によりコンクリートに定着されている。また、ＰＣ鋼材３４の上端側は、フーチングの上面から橋脚部２の外寸の略２倍の高さの位置（前記側壁２１の内部）において上方の定着手段５４によりコンクリートに定着されている（以下、下方の定着手段４４から上方の定着手段５４の範囲を定着範囲と称す）。
【００３０】
さらに、ＰＣ鋼材３４の上方の定着手段５４より上方にある部分は、わずかに湾曲して、前記斜面２３に露出し、ＰＣ鋼材３４は該露出位置６４において緊張されたものである。
一方、付加鉄筋７は、フーチング１の中から立ち上がることなく、フーチング１の上面から前記側壁２１および前記側壁２２の内部を経由して橋脚部２の上端部に至る範囲に配置されている。
【００３１】
したがって、地震が発生した際、橋脚にかかる曲げモーメントの分布のうち、その値の大きな範囲に前記定着範囲があるため、ＰＣ鋼材３４が有効に作用し、前記プレストレス効果を奏している。
【００３２】
さらに、付加鉄筋７は、前記定着範囲におけるコンクリートから、該コンクリート内の力およびＰＣ鋼材３４の定着力とを受け取り、その力を橋脚部の上端側のコンクリートに伝達するから、前記定着範囲と前記定着範囲を外れた範囲との境界における力の伝達の不連続性を解消する効果を発揮する。なお、付加鉄筋７を高強度鉄筋により形成しておけば前記効果は促進される。
【００３３】
また、付加鉄筋７は、フーチング１中に埋め込まれていないために、前記側壁２１の肉厚が比較的薄い場合であっても、この範囲において降伏ないし座屈を生ずることがなく、脚軸方向の鉄筋としてコンクリートを拘束し、コンクリートの一体性を確保することができる。
【００３４】
すなわち、本実施の形態は、ＰＣ鋼材３４によるプレストレス効果とともに、付加鉄筋７による力伝達効果により、地震発生時の橋脚の基部の損傷を防止ないし低減するとの効果を発揮するものである。
【００３５】
なお、本発明は、ＰＣ鋼材３４および付加鉄筋７の両方を配置するものに限定するものではなく、付加鉄筋７の配置を省略し、ＰＣ鋼材３４のみ配置して、これによるプレストレス効果のみによって、地震発生後の橋脚の復元力特性の向上の効果を得てもよい。
【００３６】
なお、橋脚部２の外寸とは、橋脚部２が矩形の場合はこれに内接する内接円の直径を、多角形の場合はその内部に配置可能な最大直径の円の直径を、楕円形の場合はこれに内接する内接円の直径を、円形の場合はその直径を指す。
【００３７】
また、本発明は、上方の定着手段５４の配置位置（以下、上方の定着位置と称す）を橋脚部２の外寸の略２倍の高さの位置に限定するものではなく、橋脚部２の外寸の略１倍から略３倍の高さの範囲にあればよい。上方の定着位置が低過ぎる（該範囲が狭過ぎる）場合には、前記引っ張り応力の低減効果が弱まり、一方、高過ぎる（該範囲が広過ぎる）場合には、高価なＰＣ鋼材の使用量が増大し、プレストレストコンクリート橋脚自体の製造コストが上昇することになる。
【００３８】
さらに、本発明は、中空部２０の配置範囲を、橋脚部２のフーチング１の上面から橋脚部２の外寸の１倍の高さに限定するものではないが、該高さが前記外寸の１倍に満たない場合には、橋脚部の基部の剛性の低下を招くため、該高さが前記外寸の１倍以上であることが望ましい。
【００３９】
図６は、図５に記載したプレストレストコンクリート橋脚の定着範囲における横方向の断面を示す横断面図である。図６において、断面正方形の橋脚部２の内部に、中空部２０があり、該中空部２０の周囲に側壁２１が配置されている。該側壁２１の内部に、コンクリートを補強するための複数の主鉄筋８（図中、黒丸にて示す）が脚軸方向と平行に、そして、該主鉄筋８を結ぶフープ筋９が脚軸方向と略直角の面内に配置されている。そして、該フープ筋９の内側に、ＰＣ鋼材３４（図中、白丸にて示す）および付加鉄筋７（図中、二重丸にて示す）が配置されている。
【００４０】
なお、主鉄筋８、フープ筋９、ＰＣ鋼材３４または付加鉄筋７の数量および配置形態は図６に示すものに限定するものではなく、その数量および配置形態は設計事項である。例えば、付加鉄筋７をフープ筋９に接して配置してもよく、あるいは、橋脚に作用する曲げモーメントに応じて、ＰＣ鋼材３４または付加鉄筋７を脚軸に対し非対称または偏心して配置してもよい。
【００４１】
また、ＰＣ鋼材３４は、例えばボンドタイプでも、アンボンドタイプでもよく、その形式は何れでもよい。また、下方の定着手段４４および上方の定着手段５４の形式は限定するものではなく、その選定は設計事項である。
また、橋脚部２の断面形状は、正方形に限定するものではなく、円形、楕円、多角形等何れでもよい。
また、橋脚部２の横断面内における、付加鉄筋７，主鉄筋８，フープ筋９、およびＰＣ鋼材３４の配置の形態は、脚軸に対して対称に配置することに限定するものではなく、脚軸に対して非対称または偏心して配置してもよい。
【００４２】
［実施の形態４］
図７は、本発明の他の実施の形態に係るプレストレストコンクリート橋脚を示す縦断面図である。図７は図４（前記実施の形態２）における、橋脚部２が中空部２０を有すものである。すなわち、図７において、地盤内に設置されたフーチング１の上面に、中空部２０を有す橋脚部２が設置され、橋脚部２の内部に、脚軸方向と平行にＰＣ鋼材３５および付加鉄筋７が配置されている。なお、コンクリートを補強するために配置されている主鉄筋８およびフープ筋９の記載を省略している。また、図６と同様の部分については同じ符号を付し、一部説明を省略する。
【００４３】
中空部２０は、橋脚部２のフーチング１の上面から橋脚部２の外寸の１倍の高さから、橋脚部２の上端面から橋脚部２の外寸の１倍だけ下の位置にわたって配置され、その下方の範囲は内径が小さく（側壁２１が厚く）、中間から上方の範囲は内径が大きく（側壁２２が薄く）なっている。そして、該側壁２１と該側壁２２は、斜面２３により連結されている。
【００４４】
ＰＣ鋼材３５の円弧状に曲げられた中央部分４５は、フーチング１内に存し、該中央部分４５が、コンクリートに定着されている。一方、ＰＣ鋼材３５の上端側は、フーチングの上面から橋脚部２の外寸の略２倍の高さの位置（側壁２１内）において上方の定着手段５５によりコンクリートに定着されている（以下、中央部分４５から上方の定着手段５５の範囲を定着範囲と称す）。
【００４５】
さらに、ＰＣ鋼材３５の上方の定着手段５５より上方にある部分は、わずかに湾曲して、前記斜面２３に露出し、ＰＣ鋼材３５は該露出位置６５において緊張されたものである。
一方、付加鉄筋７は、フーチング１の中から立ち上がることなく、フーチング１の上面から前記側壁２１および前記側壁２２の内部を経由して橋脚部２の上端部に至る範囲に配置されている。
【００４６】
したがって、本実施の形態５において、ＰＣ鋼材３５および付加鉄筋７は、前記実施の形態３と同様に作用し、同様の効果を奏する。
【００４７】
なお、本発明は、ＰＣ鋼材３５および付加鉄筋７の両方を配置するものに限定するものではなく、付加鉄筋７の配置を省略し、ＰＣ鋼材３５のみ配置して、これによるプレストレス効果のみによって、地震発生時の橋脚の基部の損傷を防止ないし低減するとの効果を得てもよい。
【００４８】
なお、橋脚部２の外寸とは、橋脚部２が矩形の場合はこれに内接する内接円の直径を、多角形の場合はその内部に配置可能な最大直径の円の直径を、楕円形の場合はこれに内接する内接円の直径を、円形の場合はその直径を指す。
【００４９】
また、本発明は、上方の定着手段５５の配置位置（以下、上方の定着位置と称す）を橋脚部２の外寸の略２倍の高さの位置に限定するものではなく、橋脚部２の外寸の略１倍から略３倍の高さの範囲にあればよい。上方の定着位置が低過ぎる（該範囲が狭過ぎる）場合には、前記引っ張り応力の低減効果が弱まり、一方、高過ぎる（該範囲が広過ぎる）場合には、高価なＰＣ鋼材の使用量が増大し、プレストレストコンクリート橋脚自体の製造コストが上昇することになる。
【００５０】
また、ＰＣ鋼材３５は、例えばボンドタイプでも、アンボンドタイプでもよく、その形式は何れでもよい。また、上方の定着手段５５の形式は限定するものではなく、その選定は設計事項である。
【００５１】
また、橋脚部２の断面形状は、正方形に限定するものではなく、円形、楕円、多角形等何れでもよい。
また、橋脚部２の横断面内における、付加鉄筋７，主鉄筋８，フープ筋９、およびＰＣ鋼材３５の配置の形態は、脚軸に対して対称に配置することに限定するものではなく、脚軸に対して非対称または偏心して配置してもよい。
【００５２】
【発明の効果】
本発明によれば、橋脚部の下方部分のみプレストレスを導入したから、 プレストレストコンクリート橋脚の復元力特性および耐震性能を大幅に向上することができるとともに、 プレストレストコンクリート橋脚の施工性およびコスト低減が可能になる。
さらに、橋脚部の下方から上方に向けて付加鉄筋を配置したため、該付加鉄筋がプレストレスの導入範囲の力を橋脚部の上端側に伝達するから、力の不連続を解消できるとともに、基部の損傷を防止ないし低減し、プレストレストコンクリート橋脚の復元力特性および耐震性能を大幅に向上することができる。
【図面の簡単な説明】
【図１】
本発明の実施の形態に係るプレストレストコンクリート橋脚を示す縦断面図である。
【図２】
図１に示す本発明の実施の形態に係るプレストレストコンクリート橋脚における抵抗モーメントの分布を説明する抵抗モーメント図である。
【図３】
図１に記載したプレストレストコンクリート橋脚の定着範囲における横方向の断面を示す横断面図である。
【図４】
本発明の他の実施の形態に係るプレストレストコンクリート橋脚を示す縦断面図である。
【図５】
本発明の他の実施の形態に係るプレストレストコンクリート橋脚を示す縦断面図である。
【図６】
図５に記載したプレストレストコンクリート橋脚の定着範囲における横方向の断面を示す横断面図である。
【図７】
本発明の他の実施の形態に係るプレストレストコンクリート橋脚を示す縦断面図である。
【符号の説明】
１   フーチング
２   橋脚部
７   付加鉄筋
８   主鉄筋
９   フープ筋
２０   中空部
２１，２２   側壁
２３   斜面
３１，３３，３４，３５   ＰＣ鋼材
４１，４４   下方の定着手段
４３，４５   中央部分
５１，５３，５４，５５   上方の定着手段
６１，６３，６４，６５   露出位置
【手続補正２】
【補正対象書類名】図面
【補正対象項目名】図１
【補正方法】変更
【補正の内容】
【図１】
2002194711.tif 000001
【手続補正３】
【補正対象書類名】図面
【補正対象項目名】図２
【補正方法】変更
【補正の内容】
【図２】
2002194711.tif 000002
【手続補正４】
【補正対象書類名】図面
【補正対象項目名】図３
【補正方法】変更
【補正の内容】
【図３】
2002194711.tif 000003
【手続補正５】
【補正対象書類名】図面
【補正対象項目名】図４
【補正方法】変更
【補正の内容】
【図４】
2002194711.tif 000004
【手続補正６】
【補正対象書類名】図面
【補正対象項目名】図５
【補正方法】変更
【補正の内容】
【図５】
2002194711.tif 000005
【手続補正７】
【補正対象書類名】図面
【補正対象項目名】図６
【補正方法】変更
【補正の内容】
【図６】
2002194711.tif 000006
【手続補正８】
【補正対象書類名】図面
【補正対象項目名】図７
【補正方法】変更
【補正の内容】
【図７】
2002194711.tif 000007
【手続補正９】
【補正対象書類名】図面
【補正対象項目名】図８
【補正方法】削除
【補正の内容】
【手続補正１０】
【補正対象書類名】図面
【補正対象項目名】図９
【補正方法】削除
【補正の内容】